(57)【特許請求の範囲】
【請求項１】
光ディスク媒体に記録されている複数の動画像データに基づいて、前記動画像データごとに前記動画像データの中から任意の画像のサムネールデータをそれぞれ生成するサムネール生成手段と、
前記サムネールデータを前記光ディスク媒体に記録する記録手段と、
前記光ディスク媒体の種類を判別する手段と、
前記光ディスク媒体の種類に応じて、前記サムネールデータの生成及び記録の処理を変える制御手段とを備え、
前記光ディスク媒体がライトワンス型媒体と判別した場合には、書き込み終端処理の際に、前記光ディスク媒体に複数の前記サムネールデータを連続して記録することを特徴とする光ディスク録画装置。
【請求項２】
請求項１に記載の光ディスク録画装置において、
前記光ディスク媒体がリライタブル型媒体と判別した場合には、前記光ディスク媒体に前記動画像データを記録する度に前記サムネールデータを記録することを特徴とする光ディスク録画装置。
【請求項３】
請求項１又は２に記載の光ディスク録画装置において、前記複数のサムネールデータを、単一のファイルとして管理できるように前記光ディスク媒体に記録することを特徴とする光ディスク録画装置。
【発明の詳細な説明】
【０００１】
【発明の属する技術分野】
本発明は光ディスク媒体を用いた録画装置に関し、録画した内容を代表するサムネール画像を用いて目的の場面の検索を容易にした録画装置に関する。
【０００２】
【従来の技術】
近年、光ディスクを用いた録画再生装置が登場している。録画再生装置に用いられる光ディスクの規格にはいくつかあるが、ＤＶＤ−ＲＡＭに代表されるような記録された情報の書き換えが可能なリライタブル型と、ＤＶＤ−Ｒに代表されるような一度記録された情報の書き換えができないライトワンス型に分類することができる。
録画再生装置に用いられるリライタブル型媒体の代表であるＤＶＤ−ＲＡＭは、録画と消去が繰り返し行える反面、ＤＶＤ−ＲＡＭに対応した機器でないと再生が行えないという特徴がある。
【０００３】
一方、録画再生装置に用いられるライトワンス型媒体の代表であるＤＶＤ−Ｒは、一度録画した映像を消すことは難しいが、ファイナライズと呼ばれる書き込み終端処理を行うことにより、一般的に広く普及しているＤＶＤプレーヤで再生可能になるという特徴がある。
なお、ファイナライズ処理では、主に、光ディスクに目次情報を作成しＤＶＤプレーヤでの再生を可能にしたり、光ピックアップのオバーランを防ぐために終端を示す情報を作成したりするものである。
【０００４】
現在、リライタブル型の光ディスクにのみ対応した録画装置と、リライタブル型の光ディスクと、ライトワンス型の光ディスクの両方に対応した録画装置が実用化されている。
このような光ディスクを利用した録画再生装置では、そのランダムアクセス性を利用するために、撮影された画像のサムネール画像を液晶モニタなどに一覧表示し、目的の画像の検索性を向上させている装置が多い。
【０００５】
これらのサムネールは、ディスクに記録された映像の代表的な場面の縮小画である。代表的な場面の抽出の仕方としては、録画開始時の録画画像を抽出するもの、一定時間ごとに抽出するもの、場面転換検出を行い場面転換時の画面を抽出するもの、などがある。以下、本発明での説明は録画開始時の録画画像を抽出するもので説明をする。
【０００６】
サムネールを一覧表示することを、ここではナビゲーションと呼ぶ。ナビゲーション画面の例として図１を挙げる。ナビゲーション画面１０１中には、複数のサムネール１０２が表示されている。ここでは１つのサムネールに代表される録画単位を、シーンと呼ぶ。情報表示１０３は、映像が撮影された日時などの情報を表示するものである。ただし、日時に限定されたものではなく、ユーザが入力したタイトルや、撮影した位置情報などを表示するものもある。
このナビゲーション画面が出画されている状況下では、ユーザは録画再生装置に具備された操作釦を使用して、ディスクに録画された目的のシーンの再生動作や削除動作などを容易に行なうことが出来る。
【０００７】
こういったナビゲーション画面を実現する際に重要な事項の一つとして、サムネールが高速に出画されることが挙げられる。ナビゲーション画面を高速に出画する方法の１つとして、たとえば特開２００１−１１１９６３号公報が実用化されている。これは、ディスク上の録画データの他に、サムネールを表示するためのサムネールデータ（縮小画像データ）を録画時に予め生成し、記録しておくものである。
【０００８】
上記技術を説明する前にまず、説明の前提となる光ディスクの構成の概要を図２を使用して説明する。図２は一般的な光ディスクの構成を示した例である。光ディスク２０１のうち、最内周部の一定の領域２０２は、ＴＯＣ（Ｔａｂｌｅ  Ｏｆ  Ｃｏｎｔｅｎｔｓ）情報などのディスクアクセスを容易にするための目次情報が記録される領域である。また、データ領域２０３は、録画データの書き込みや、サムネールデータの書き込みに利用可能な領域である。
【０００９】
光ディスクがリライタブル型の場合、記録するデータはデータ領域２０３のうち、任意の開始点から書き込むことができる、また、記録に用いる領域が不連続であっても許容される。
【００１０】
一方、光ディスクがライトワンス型の場合、記録するデータはデータ領域２０３のうち、内周部に近い領域から外周部に向かって、順次連続的に書き込まれる必要がある。また、記録に用いる領域の不連続点は、性能上一定の距離以下であることが要求される。
以上を踏まえてライトワンス型、リライタブル型それぞれのメディアに対して前記公知例を適用した場合について図３を使用して説明する。
【００１１】
図３は、リライタブル型の光ディスクにおいて前記公知例を用いて録画を行った場合の、ディスク上のデータの並びを示した図である。実際の光ディスク上では円周方向に従って記録が行われるが、ここでは、横一直線に並べて図示している。図３の左方向が図２の領域２０３におけるディスク内周側付近の領域、図３の右方向が図２の領域２０３におけるディスク外周側の領域を示している。図３は３シーン分の録画を行った場合を示しており、録画データ３０１、３０２、３０３は、それぞれシーン１、シーン２、シーン３の録画データである。サムネールデータ３１１、３１２、３１３は、それぞれシーン１、シーン２、シーン３のサムネールデータである。３２１、３２２は未記録領域である。３シーン分の録画を行った場合の各データの記録順は、３０１→３１１→３０２→３１２→３０３→３１３となる。また、領域３００は、サムネールデータの記録専用の領域である。
【００１２】
一方、ライトワンス型の光ディスクを用いた場合の録画データとサムネールデータの記録は、リライタブル型と同様の記録順（録画データ記録→サムネールデータ記録、の繰り返し）で処理を行うと、ディスク上では図４に示すようなデータの並びになる。これは、ライトワンス型媒体の場合は内周部に近い領域から外周部に向かって、順次連続的に書き込む必要があるためである。図４は図３と同様、３シーン分の録画を行った状態を示しているが、録画データ４０１、４０２、４０３はそれぞれシーン１、シーン２、シーン３の録画データであり、サムネールデータ４１１、４１２、４１３はそれぞれシーン１、シーン２、シーン３のサムネールデータである。４２１は未記録領域である。
【００１３】
【発明が解決しようとする課題】
上記のように従来技術では、リライタブル型の光ディスクはディスク上の任意の位置から記録が可能なため、サムネール記録のための専用領域として領域３００を予め確保することができるので、サムネールデータを連続して配置することができる。これによりナビゲーション動作の高速化の効果は勿論、図示したようにサムネールの連続した配置が可能なため、光ディスク読みとり時の遅延の原因となるシーク動作（ディスク盤面上の目的のデータを検索する動作）が少なくて済み、より高速なナビゲーション動作を実現できる。
【００１４】
しかしながら、ライトワンス型の光ディスクを用いた場合は、ライトワンス型光ディスクが前に書いたデータに対して順時連続して追記を行う形で記録が行われるため、図４のようにサムネールデータ４１１、４１２、４１３は１カ所にまとまることがなく、ディスク上に分散して記録されてしまう。このため、図４に示すように記録されたサムネールデータを元にナビゲーション画面を出画する場合、ディスク上に分散して記録されたサムネールデータを探すためのシーク動作が必要になり、結果ナビゲーション動作の遅延を招くという問題があった。
【００１５】
本発明の目的は、一連のサムネールデータを記録することにより、ナビゲーションのより高速な動作の実現をはかることにある。また、ディスクの種類に応じたサムネールデータを記録するものであり、ライトワンス型の光ディスクを用いた場合にも、ナビゲーションのより高速な動作の実現をはかることにある。
【００１６】
【課題を解決するための手段】
上記課題を解決するために、本発明では、光ディスク媒体に記録されている複数の動画像データに基づいて、前記動画像データごとに前記動画像データの中から任意の画像のサムネールデータをそれぞれ生成するサムネール生成手段と、前記サムネールデータを前記光ディスク媒体に記録する記録手段と、前記光ディスク媒体の種類を判別する手段と、前記光ディスク媒体の種類に応じて、前記サムネールデータの生成及び記録の処理を変える制御手段とを備え、前記光ディスク媒体がライトワンス型媒体と判別した場合には、書き込み終端処理の際に、前記光ディスク媒体に複数の前記サムネールデータを連続して記録する。
【００２０】
【発明の実施の形態】
以下、この発明による一実施形態についてビデオカメラに適用した場合の一実施例の図面を使用して説明する。本発明ではリライタブル型の光ディスクと、ライトワンス型の光ディスクの両方に対応した録画再生装置を前提としている。
【００２１】
図５は、本発明の一実施例を示した構成図であり、ビデオカメラを想定している。
まず、構成について説明する。５０１は撮像信号を電気信号に変換する撮像素子、５０２は画質補正をする画質調整回路、５０３は映像のアナログ信号をデジタル信号に変換するＡ／Ｄ変換回路、５０４は画像及び音声の各種の処理を行う画像音声コーディック回路、５０５はマイク、５０６はレベル調整等の処理を行う音質調整回路、５０７は音声用のＡ／Ｄ変換回路、５０８は各種制御、処理及びディスク種類の判別を行うＣＰＵ、５０９はシステムバス、５１０は記録データを一時記録するためのバッファメモリ、５１１はサムネールデータ他を記憶するための作業用のメモリであるワークメモリ、５１２は光ディスク媒体への記録再生処理及び各種制御機能を持った光ディスク装置、５１３はフラッシュメモリ、５１４は操作釦、５１５は画像音声コーディクからの映像のデジタル信号を処理するためのビデオメモリ、５１６は映像のデジタル信号をアナログ信号に変換するＤ／Ａ変換回路、５１７はサムネール等の画像を表示するモニタ画面、５１８は音声用のＤ／Ａ変換回路、５１９はアンプ、５２０はスピーカである。
【００２２】
次に、録画時の動作について説明する。撮像素子５０１によって得られた被写体の画像は、画質調整回路５０２によって、色調、明るさなどの画質補正が行われ、Ａ／Ｄ変換回路５０３によってディジタル信号に変換され、画像音声コーデック回路５０４に入力される。一方、マイク５０５によって取得された音信号は、音質調整回路５０６によってレベル調整や風切り音低減などの処理が行われ、Ａ／Ｄ変換回路５０７によってディジタル信号に変換され、画像音声コーデック回路５０４に入力される。画像音声コーデック回路５０４は、入力されたディジタル信号を符号化したり、復号化したりする働きを持つ。符号化の際には画像のディジタル信号と音声のディジタル信号を混合し、システムストリームと呼ばれる画像と音声の同期したディジタル符号として出力するする機能も持ち、復号化の際には入力されたシステムストリームを画像のディジタル信号と音声のディジタル信号に振り分けて復号化する機能も持つ。この符号化の例としてはＭＰＥＧ（Ｍｏｔｉｏｎ  Ｐｉｃｔｕｒｅ  Ｅｘｐｅｒｔｓ  Ｇｒｏｕｐ）に代表される情報圧縮を伴う符号化方式がある。
【００２３】
画像音声コーデック回路５０４によって生成されたシステムストリームは、ＣＰＵ（Ｃｅｎｔｒａｌ  Ｐｒｏｃｅｓｓｉｎｇ  Ｕｎｉｔ）５０８によって、システムバス５０９を介して、バッファメモリ５１０に蓄積される。ＣＰＵ５０８は、システムバス５０９を介することにより、バッファメモリ５１０や、後述するワークメモリ５１１に自由にアクセスすることができる。バッファメモリ５１０に蓄積されたシステムストリームは、順次、ディスク装置５１２によって光ディスクに記録される。このバッファメモリ５１０は、機器に振動が加わるなどの原因で一時的に光ディスクに対する書き込みや読み出しが停止しても、継続的にデータの入出力を行うためのものである。
【００２４】
ＣＰＵ５０８は、画像音声コーディック回路５０４によって生成されたシステムストリームをバッファメモリ５１０に格納する機能のほか、そのシステムストリーム中からサムネールデータを生成し、バッファメモリ５１０を介し光ディスク媒体に書き出す機能及び装着された光ディスクの種類を判別する機能も持つ。ワークメモリ５１１は、ＣＰＵ５０８が各種処理を行う際に使用する、作業用のメモリである。フラッシュメモリ５１３は、ＣＰＵ５０８を駆動するためのソフトウエアが格納されている。
【００２５】
操作釦５１４には、再生釦、録画釦、ナビゲーション機能起動釦、ファイナライズ釦などがあり、ユーザは操作釦５１４を操作することで、本機の動作を制御することができる。ユーザによって行われた操作釦の操作情報は、ＣＰＵ５０８に伝達される。
【００２６】
次に、再生時の本機の動作について説明する。光ディスク装置５１２から読み出されたシステムストリームは、バッファメモリ５１０に蓄積され、システムバス５０９を介してＣＰＵ５０８に取得される。ＣＰＵ５０８は前記システムストリームを映像音声コーデック回路５０４に出力する。映像音声コーデック回路５０４は入力されたシステムストリームを復号化し、映像のディジタル信号と音声のディジタル信号に分離し、映像のディジタル信号はビデオメモリ５１５上に展開、処理する。ビデオメモリ５１５上に展開、処理された映像信号は、Ｄ／Ａ変換回路５１６によってアナログの映像信号に変換され、液晶画面などのモニタ画面５１７上に再生画像の表示が行われる。一方、音声のディジタル信号は、Ｄ／Ａ変換回路５１８に入力され、アナログの音声信号に変換された後、アンプ５１９によって増幅され、スピーカ５２０によって出力される。また、同様に光ディスク装置５１２から読み出されたサムネールデータは、バッファメモリ５１０、システムバス５０９、ＣＰＵ５０８、映像音声コーデック回路５０４及びビデオメモリ５を介してモニタ画面５１７上にサムネール画像が表示される。
【００２７】
ＣＰＵ５０８は、ビデオメモリ５１５上に展開された映像信号に対して、時刻情報などのＯＳＤ（Ｏｎ  Ｓｃｒｅｅｎ  Ｄｉｓｐｌａｙ）表示を画像音声コーデック回路５０４を介して畳重することができる。また、ナビゲーション画面に用いられるサムネール画像表示や、各種グラフィック表示なども、ＣＰＵ５０８が画像音声コーデック回路５０４を介してビデオメモリ５１５上に生成できるものである。
【００２８】
次に本装置の図５におけるＣＰＵ５０８における録画時のソフトウエア制御について図６を用いて説明する。
まず、ユーザによるディスク装置へのディスク挿入Ｓ６００が行われると、ディスク種別認識処理Ｓ６０１によって挿入されたディスクの種別（リライタブル型またはライトワンス型）が判断される。判断されたディスク種別情報は図５におけるＣＰＵ５０８内部で保持される。ディスク種別認識処理Ｓ６０１が完了すると、操作待ち状態Ｓ６０２に遷移する。これにより、本装置はユーザからの釦操作を受付可能な状態になる。操作待ち状態Ｓ６０２は、図５における操作釦５１４からの釦入力情報を待っている状態である。
【００２９】
ここで、ＲＥＣ釦が押された場合（Ｓ６０３）、判断分岐Ｓ６０５に従い、判断分岐Ｓ６０５に遷移する。判断分岐Ｓ６０５では先にディスク認識種別処理Ｓ６０１によって認識されＣＰＵ５０８内部に保持されていた情報に従って処理の分岐を行い、リライタブル型であればＲＥＣ処理Ａ  Ｓ６０６、ライトワンス型であればＲＥＣ処理Ｂ  Ｓ６０７を行う。これらのＲＥＣ処理ＡおよびＢの詳細な内容については後述する。Ｓ６０６、Ｓ６０７の処理の終了後は操作待ち状態Ｓ６０２に戻る。
【００３０】
また、Ｓ６０３でファイナライズ釦が押された場合は、やはり先にディスク認識種別処理Ｓ６０１によって認識されＣＰＵ５０８内部に保持されていた情報に従って判断分岐Ｓ６０８に示すような処理の分岐を行い、ライトワンス型であればファイナライズ処理Ｓ６０９を行い、操作待ち状態Ｓ６０２に戻る。リライタブル型であればファイナライズは行わず、操作待ち状態Ｓ６０２に戻る。ファイナライズ処理Ｓ６０９の詳細な内容については後述する。
【００３１】
Ｓ６０３で、ＲＥＣ釦およびファイナライズ釦以外のその他のキー操作が行われた場合は、そのキー操作に従った他の処理Ｓ６０４を実行し、操作待ち状態Ｓ６０２に戻る。ここで言うその他のキー操作とは、録画画質モードの切替や、カメラ部のズーム操作などが挙げられるが、その内容である他の処理Ｓ６０４については本発明と直接の関係がないため、詳細な説明を省略する。
【００３２】
次に図６におけるリライタブル型時のＲＥＣ処理Ａ  Ｓ６０６の内容の説明を、図７を用いて行う。
まず、ディスク書き込み位置への移動処理Ｓ７００によって、光ディスク上の録画データが書き込み可能な領域に移動し、書き込み開始位置がセットされる。次にＲＥＣ開始処理Ｓ７０１によってＲＥＣ動作が開始される。
次に、サムネール生成処理Ｓ７０２によってＲＥＣ開始時点での画像が静止画として抽出、縮小され、サムネールとして図５におけるワークメモリ５１１に保持される。ＲＥＣ中は操作待ち状態Ｓ７０３に状態が遷移する。これにより、本装置はユーザからのキー操作を受付可能な状態になる。
【００３３】
その後、ユーザからのキー操作が行われると、判断分岐Ｓ７０４に示すようにキー操作に従った処理に処理の分岐を行う。ＳＴＯＰ釦が押された場合、ＲＥＣ終了処理Ｓ７０５が実行され、図５におけるバッファメモリ５１０に蓄積している未書き出しのシステムストリームを光ディスク装置５１２の記録媒体へ書き出しを行う。次にディスク書き込み位置への移動処理Ｓ７０８によって、光ディスク上のサムネール記録用の領域（図３における領域３００）に移動し、光ディスクへの書き込み位置がセットされる。その後、先に生成され、図５におけるワークメモリ５１１に保持されているサムネールデータはサムネール書き込み処理Ｓ７０６によって、一連のサムネールデータとして光ディスクに書き出される。その後、ＲＥＣ処理Ａ  Ｓ６０６としての処理を終了する。
【００３４】
一方、ＳＴＯＰ釦以外のキー操作が行われた場合、そのキー操作に従った他の処理Ｓ７０７を実行し、操作待ち状態Ｓ７０３に戻る。ここで言うその他のキー操作とは録画画質モードの切替など各種が考えられるが、その内容である他の処理Ｓ７０７については本発明と直接の関係がないため、詳細な説明を省略する。
以上のような処理構成にすると、リライタブル型の光ディスクに対しては、図３に示したような連続したサムネールデータの配置が可能になる。
【００３５】
次に図６におけるライトワンス型時のＲＥＣ処理Ｂ  Ｓ６０７の内容の説明を、図８を用いて行う。
まず、ディスク書き込み位置の移動処理Ｓ８００によって、光ディスク上の録画データが書き込み可能な領域に移動し、書き込み開始位置がセットされる。次にＲＥＣ開始処理Ｓ８０１によってＲＥＣ動作が開始される。ＲＥＣ中は操作待ち状態Ｓ８０２に状態が遷移する。これにより、本装置はユーザからのキー操作を受付可能な状態になる。ユーザからのキー操作が行われると、判断分岐Ｓ８０３に示すようにキー操作に従った処理に処理の分岐を行う。ＳＴＯＰ釦が押された場合、ＲＥＣ終了処理Ｓ８０４が実行され、図５におけるバッファメモリ５１０に蓄積している未書き出しのシステムストリームの書き出しなどを行う。その後、ＲＥＣ処理Ｂ  Ｓ６０７としての処理を終了する。
【００３６】
一方、ＳＴＯＰ釦以外のキー操作が行われた場合、そのキー操作に従った他の処理Ｓ８０５を実行し、操作待ち状態Ｓ８０２に戻る。ここで言うその他のキー操作とは録画画質モードの切替など各種が考えられるが、その内容である他の処理Ｓ８０２については本発明と直接の関係がないため、詳細な説明を省略する。
ＲＥＣ処理Ｂ  Ｓ６０７は、１回のＲＥＣ終了ごとにサムネールデータの生成及び記録を行わない点が、ＲＥＣ処理Ａ  Ｓ６０６と異なる。サムネール生成は、ＲＥＣ動作１回ごとに行わず、後述するファイナライズ処理Ｓ６０９の中で一括して行う。
【００３７】
次に図６におけるファイナライズ処理Ｓ６０９の内容の説明を、図９を用いて行う。
まず、ディスク読み取り位置の移動処理Ｓ９００によって、各シーンの先頭に光ディスクの読み出し位置がセットされる。シーン先頭読み出し処理Ｓ９０２によって、ディスクに記録された各シーンのサムネール生成に利用される画像（ここでは各シーンの先頭画像）が検索、読み出される。次にサムネール生成処理Ｓ９０３によって、読み出された画像がサムネールとして縮小され、ディスクの書き込み位置の移動処理Ｓ９０６によって、書き込み位置が現在のディスク上に書き込まれているデータの終端に移動し、次にサムネール書き込み処理Ｓ９０４によってディスクへの書き込みが行われる。この動作はループＳ９０１に示すようにディスク上に録画されたシーン数ぶんだけ繰り返される。
【００３８】
その後、ファイナライズ処理Ｓ９０５によってファイナライズ処理が行われ、ファイナライズ処理Ｓ６０９としての処理を終了する。
通常、ファイナライズ処理は比較的時間が掛かり、この処理に合せてサムネールの生成およびディスクへの書き込みを行なうと確実であり効率が良い。
【００３９】
以上のような処理によって、ライトワンス型のディスク上に生成されるデータの並びを、図１０によって説明する。ファイナライズを行うまでは、サムネールを記録しないため、ディスク上にはまずシーン１、シーン２、シーン３の画像データがそれぞれ画像データ１００１、１００２、１００３に示すように連続して記録される。次に、ファイナライズ直前に生成されたシーン１、シーン２、シーン３のそれぞれに対応するサムネールデータがサムネールデータ１０１１、１０１２、１０１３として、連続して記録される。領域１１００はファイナライズによって生成される光ディスクの論理上の終端領域である。また、領域１１０１は未使用領域である。
【００４０】
図１０から解るように、ライトワンス型の光ディスク上においてもサムネールデータがディスク上に連続して配置されるため、高速なナビゲーション動作を実現するのに役立つ。
【００４１】
本実施例では、ライトワンス型の記録の終了時のサムネール生成は、ＲＥＣ動作１回ごとに行わないとしたが、ＲＥＣ動作１回ごとに画像データの後に連続してサムネールを生成して記録するようにし、さらにファイナライズ処理時に一連のサムネールデータを記録するようにしてもよい。これにより、本発明による一連のサムネールデータに対応していない装置でもＲＥＣ動作１回ごとのサムネールデータを利用して、ナビゲーション動作をさせることができるようになる。
【００４２】
本実施例では、ライトワンス型のファイナライズ処理でのサムネールデータ書き込みは読み取るごとに書き込むようにしているが、シーンの数だけ読み込んでおいてから、一括して書き込むようにしても良い。いずれにしても一連のサムネールデータとして光ディスクに書き込み、それが、単一ファイルであればさらに良い。
【００４３】
本実施例では記録媒体を光ディスクとしたが、ＤＶＤ、ＣＤが範疇に含むことは言うまでもない。
本実施例ではリライタブル型の光ディスクと、ライトワンス型の光ディスクの両方に対応した録画再生装置を前提として説明したが、ライトワンス型専用の録画再生装置でも構わない。
【００４４】
【発明の効果】
以上のように本発明によれば、一連のサムネールデータを記録することにより、ナビゲーションのより高速な動作の実現ができる。また、ディスクの種類を判別した場合は、ディスクの種類に応じたサムネールデータを記録することができ、ライトワンス型の光ディスク媒体を用いた場合にも、ナビゲーションのより高速な動作の実現ができる。つまり、リライタブル型およびライトワンス型それぞれの光ディスクにおいてそれぞれに適したサムネール生成・記録方法を実現することができる。
【図面の簡単な説明】
【図１】ナビゲーション画面の一例である。
【図２】光ディスク上の領域の使われ方を示した図である。
【図３】従来例を適用した場合の、リライタブル型光ディスクにおけるサムネールデータ及び録画データの並び順を示した説明図である。
【図４】従来例を適用した場合の、ライトワンス型光ディスクにおけるサムネールデータ及び録画データの並び順を示した説明図である。
【図５】本発明の一実施例を示すハードウエアの構成図である。
【図６】本発明の一実施例における処理の実行順を示したフローチャートである。
【図７】本発明の一実施例における、リライタブル型メディアを用いた場合の録画時の処理の詳細な実行順序を示したフローチャートである。
【図８】本発明の一実施例における、ライトワンス型メディアを用いた場合の録画時の処理の詳細な実行順序を示したフローチャートである。
【図９】本発明の一実施例における、ライトワンス型メディアに対するファイナライズ処理の詳細な実行順序を示したフローチャートである。
【図１０】本発明の一実施例における、ライトワンス型光ディスクにおけるサムネールデータ及び録画データの並び順を示した説明図である。
【符号の説明】
１０１…ナビゲーション画面全体、１０２…複数のサムネール、
１０３…撮影時刻などの情報表示、２０１…書き込み可能な光ディスク、
２０２…ＴＯＣなどのいわゆる目次領域、２０３…データ記録に使用できる領域、
３００…サムネール専用の書き込み領域、３０１…シーン１の画像データ、
３０２…シーン２の画像データ、３０３…シーン３の画像データ…、
３１１…シーン１のサムネールデータ、３１２…シーン２のサムネールデータ、
３１３…シーン３のサムネールデータ、３２１…未使用領域、
４０１…シーン１の画像データ、４０２…シーン２の画像データ、
４０３…シーン３の画像データ、４１１…シーン１のサムネールデータ、
４１２…シーン２のサムネールデータ、４１３…シーン３のサムネールデータ、
４２１…未使用領域、５０１…撮像素子、５０２…画質調整回路、
５０３…Ａ／Ｄ変換回路、５０４…画像音声コーディック回路、５０５…マイク、
５０６…音質調整回路、５０７…Ａ／Ｄ変換回路、５０８…ＣＰＵ、
５０９…システムバス、５１０…バッファメモリ、５１１…ワークメモリ、
５１２…光ディスク装置、５１３…フラッシュメモリ、５１４…操作釦、
５１５…ビデオメモリ、５１６…Ｄ／Ａ変換回路、５１７…モニタ画面、
５１８…Ｄ／Ａ変換回路、５１９…アンプ、５２０…スピーカ、
６００…ディスク挿入操作、Ｓ６０１…ディスク種別認識処理、
Ｓ６０２…操作待ち状態、Ｓ６０３…入力釦による分岐、Ｓ６０４…他の処理、
Ｓ６０５…ディスク種別による分岐、Ｓ６０６…ＲＥＣ処理Ａ、
Ｓ６０７…ＲＥＣ処理Ｂ、Ｓ６０８…ディスク種別による分岐、
Ｓ６０９…ファイナライズ処理、Ｓ７００…ディスク書き込み位置の移動、
Ｓ７０１…ＲＥＣ開始処理、Ｓ７０２…サムネール生成処理、
Ｓ７０３…操作待ち状態、Ｓ７０４…釦入力による分岐、Ｓ７０５…ＲＥＣ終了処理、
Ｓ７０６…サムネール書き込み処理、Ｓ７０７…他の処理、
Ｓ７０８…ディスク書き込み位置の移動、Ｓ８００…ディスク書き込み位置の移動、
Ｓ８０１…ＲＥＣ開始処理、Ｓ８０２…操作待ち状態、Ｓ８０３…釦入力による分岐、
Ｓ８０４…ＲＥＣ終了処理、Ｓ８０５…他の処理、
Ｓ９００…ディスク読み取り位置の移動、
Ｓ９０１…ディスクに記録されたシーン数ぶんのループ、
Ｓ９０２…シーン先頭画像の読み出し、Ｓ９０３…サムネール生成処理、
Ｓ９０４…サムネール書き込み処理、Ｓ９０５ファイナライズ処理、
Ｓ９０６…ディスク書き込み位置の移動。
【図１】
0003780910.tif 000002
【図２】
0003780910.tif 000003
【図３】
0003780910.tif 000004
【図４】
0003780910.tif 000005
【図５】
0003780910.tif 000006
【図６】
0003780910.tif 000007
【図７】
0003780910.tif 000008
【図８】
0003780910.tif 000009
【図９】
0003780910.tif 000010
【図１０】
0003780910.tif 000011